(57)【要約】【課題】所定個数の遊技球を、所定個数を超える遊技球を持ち上げることなく、円滑且つ確実に払出しができるようにする。【解決手段】上流から供給される遊技球Ｂが１列に充填された球経路３の下端を遮断している下ゲート部１ｂによる遮断を解除すると同時に、該球経路３の途中の所定位置に上ゲート部１ｃを侵入させ、所定個数を超える球の流下を遮断して、所定個数の球を払い出す遊技機用の球払出し装置において、前記上ゲート部１ｃが、前記球の整列方向に対して斜め下方に侵入可能な板材で形成されている。【選択図】図３
2005245751.tif 000002
【特許請求の範囲】
【請求項１】
上流から供給される遊技球が１列に充填された球経路の下端を遮断している下部遮断部材による遮断を解除すると同時に、該球経路の途中の所定位置に上部遮断部材を侵入させ、所定個数を超える球の流下を遮断して、所定個数の球を払い出す遊技機用の球払出し装置において、
前記上部遮断部材が、前記球の整列方向に対して斜め下方に侵入可能な板材で形成されていることを特徴とする遊技機用の球払出し装置。
【請求項２】
前記上部遮断部材の先端部分が略Ｕ字形状に形成されていることを特徴とする請求項１に記載の遊技機用の球払出し装置。
【発明の詳細な説明】
【技術分野】
【０００１】
本発明は、遊技機用の球払出し装置、特に所定個数の遊技球を正確に払い出すために好適な、遊技機用の球払出し装置に関する。
【背景技術】
【０００２】
従来より、パチンコ遊技機では、所定個数の遊技球を確実に払い出すための球払出し装置が用いられている。
【０００３】
図９は、一例としてパチンコ遊技機の背面図を示したものであり、球払出し装置はＡの位置に配置され、球補給路（明示せず）を介して上方に設けられている球タンクから供給される球を順次払い出すようになっている。
【０００４】
このような球払出し装置としては、図１０に示すような規制部材により球の流れを遮断・開放することによって、遊技球を所定個数払い出す方式のものが特許文献１に開示されている。
【０００５】
これは、球２０の排出路２１側方に支点２２を中心に揺動する仕切りアーム２３を装着し、該アーム２３の先端を折曲してストッパ２４となし、スプリング２６で常時アーム２３を矢印Ａ方向に回動しているストッパ２４が排出口２１’を閉じ、ストッパ２５が排出路２１より引っ込むようになっている。そして、ソレノイド２７をＯＮしてアーム２３を矢印Ｂ方向に回動しストッパ２５で排出路２１内の球２０を仕切り、同時にストッパ２４を引っ込めて排出路２１’を開き所定数の球を排出する。
【０００６】
【特許文献１】特公平６−３４８５３号公報
【発明の開示】
【発明が解決しようとする課題】
【０００７】
しかしながら、前記特許文献１に開示されている球払出し装置には、ストッパ２５が球の整列方向と直交しているため、払出し動作毎に、所定個数を超える球を全て、ストッパの厚さ分だけ持ち上げる必要があるため、ソレノイド２７に大きな負荷がかかり、大消費電力の発生が避けられないという問題があった。
【０００８】
本発明は、前記従来の問題点を解決するべくなされたもので、遊技球が１列状態に充填されている球経路から、所定個数を超える球を持ち上げることなく所定個数の球の払出しを円滑且つ確実に行なうことができるようにし、アクチュエータに対する負荷を軽減し、消費電力を大幅に削減し、ひいては装置自体の寿命や球の寿命を大幅に延長することができる遊技機用の球払出し装置を提供することを課題とする。
【課題を解決するための手段】
【０００９】
本発明は、上流から供給される遊技球が１列に充填された球経路の下端を遮断している下部遮断部材による遮断を解除すると同時に、該球経路の途中の所定位置に上部遮断部材を侵入させ、所定個数を超える球の流下を遮断して、所定個数の球を払い出す遊技機用の球払出し装置において、前記上部遮断部材が、前記球の整列方向に対して斜め下方に侵入可能な板材で形成されているようにしたことにより、前記課題を解決したものである。
【００１０】
本発明は、又、前記上部遮断部材の先端部分が略Ｕ字形状に形成されているようにしてもよい。
【発明の効果】
【００１１】
本発明によれば、遊技球が充填されている球経路の途中に、上部遮断部材が、球の整列方向に対して斜め下方に侵入できるようにしたので、所定個数を超える球を持ち上げることなく、所定個数の球の払出しを円滑且つ確実に行なうことができる。
【発明を実施するための最良の形態】
【００１２】
以下、図面を参照して、本発明の実施の形態について詳細に説明する。
【００１３】
図１は、本発明に係る一実施形態の遊技機用の球払出し装置の内部機構を示す斜視図、図２はカバーを外して球が見えるようにした同装置の正面図である。
【００１４】
本実施形態の球払出し装置は、ベース部１０に揺動可能に軸支されたゲート１と、該ゲート１のガイド面に当接可能に軸支されたカム２と、該カム２の回転に伴なって遊技機に球を払い出す球経路３とが取り付けられている。
【００１５】
上記ゲート１は、支軸４を中心としてベース１０の面に沿って球経路３の方向に揺動運動する。上記カム２は、ベース１０の反対側に取り付けられているモータの回転軸６に着脱可能な構造で固定され、その一部に位置検出用のセンサ８を反応させるためのセンサドグ７が固定されている。
【００１６】
又、図２に示すように球経路３のばねガイド部３ａと、ゲート１のばねガイド部１ａとの間には圧縮ばね５が取り付けられ、そのばね力によりゲート１は常にカム２に接触するように付勢されている。更に、球経路３は、充填される球Ｂがこぼれ落ちないようカバー９（図１参照）を取り付けられることにより、樋部が形成された構造となっている。
【００１７】
本実施形態では、後に動作と共に詳述するが、所定個数（ここでは５個）の球Ｂを払い出す際に、下ゲート部（下部遮断部材）１ｂで遮断していた球経路３の排出部（下端）３ｂを開放すると同時に、所定個数を超える球の流下を止めるための上ゲート部（上部遮断部材）１ｃが、球経路３の一部を切り欠いた分離部３ｃから球経路３内部の斜め下方に侵入可能になっている。なお、ここでは、ゲート１の下ゲート部１ｂも上ゲート部１ｃも共に、先端部が矩形の平坦な薄い板材で形成されている。
【００１８】
以下に、本実施形態における球払出し動作を、図２〜図６を参照しながら説明する。
【００１９】
前提条件として、球経路３及びカバー９により形成される樋部の上流には、遊技球Ｂを供給する球タンク１１が備わっており、該樋部（球経路３）には常に遊技球Ｂが充填されるようになっているものとする。
【００２０】
球供給装置の非払出し時には、カム２は図２のカム位置Ａの安定状態で停止している。このとき、ゲート１の下ゲート部１ｂは球経路３の排出部３ｂを遮断して球の流下を防止しており、反対に上ゲート部１ｃは分離部３ｃ位置の球経路３を遮断することがないので、球の流下に影響を及ぼしていない。
【００２１】
球の払出しの信号を受けると、モータはカム２を反時計方向へ回す回転を始める。前記のようにゲート１は常にカム２と接触しているので、ゲート１はカム２の回転運動により揺動運動を始める。
【００２２】
カム２が図３のカム位置Ｂに到達したとき、同図に示す下ゲート部１ｂと球経路３との離間距離Ｌ1が球Ｂの直径（１１ｍｍ）を超えるため、球は流下し始める。一方、上ゲート部１ｃは、最下段の球より数えて（所定個数＋１）個目（この例の場合は６個目）にある球Ｂ6の流下を防止している。
【００２３】
カム２が図４のカム位置Ｃに達したときには、ゲート１の下ゲート部１ｂは球経路３の排出部３ｂを最大に開放し、上ゲート部１ｃは分離部３ｃで最大侵入して球経路３を遮断している。
【００２４】
カム２が図５のカム位置Ｄに到達したとき、同図に示す下ゲート部１ｂと球経路３との離間距離Ｌ2は球Ｂの直径より小さくなり、球Ｂが流下できない状態となる。一方、上ゲート部１ｃは球経路３との離間距離Ｌ3が球Ｂの直径を超えるため、球は流下し始め、下ゲート部１ｂまで到達して球経路３の全体に充填される。更にカム２が回転し、図２のカム位置Ａに到達することで一連の運動は終了し、１回の定数払出し動作が完了する。
【００２５】
次に、払出し時にゲート１の上ゲート部１ｃが侵入する位置に対応する、下から（所定個数＋１＝６）個目の球以上の上流にある球（以下、上流球と呼ぶ）の動きについて、上述したゲート位置Ａ〜Ｄを抽出すると共に、簡略化して示した図６をも用いて更に説明する。
【００２６】
本実施形態では、前記図３に示したように、上ゲート部１ｃの先端が球Ｂ6の下部外周に接触し始めるカム位置Ｂの段階では、球の整列方向に直交する方向より角度αだけ斜め下方に傾斜するようになっている。この角度αは、上ゲート部１ｃの先端が支軸４を中心に揺動回転する際の円弧軌跡の、同位置における接線と成す角度に実質上一致するように形成されている。
【００２７】
従って、上記図６に示すように、上流球はゲート位置Ａからゲート位置Ｂまでは僅かに下流へ流れる（移動する）が、上ゲート部１ｃの先端が６個目の球Ｂ6に接触し始めるゲート位置Ｂから、最大侵入しているゲート位置Ｄまではほとんど上下方向に動くことがない。つまり、上流球はゲート１の揺動運動によって上流側へ持ち上げられることがなく、上流球の荷重がゲート１の揺動運動（カムを回転させるモータ）の負荷とはならない。又、上ゲート部１ｃは球Ｂと激しく衝突することもないので、両者に損傷が生じることも防止できる。
【００２８】
なお、払出し数を（所定個数×Ｎ）にする場合は、モータを反時計方向へＮ回転させる。回転数Ｎは、図２のカム位置Ａで検知されるセンサ８の信号の数からカム２が何回転したかにより認識される。
【００２９】
複数回転する際のモータの回転速度（ｒｐｍ）については、物体の落下速度から理論上の回転速度の上限を求めることができる。例えば、図７に示すように球経路３が傾斜角度θで設置され、且つ所定個数が５の場合の回転速度の上限は、２２９．２（θ＝０°）、２２７．８（θ＝１０°）、２２０．２（θ＝１５°）、２０５．５（θ＝４０°）となる。従って、複数回転させることにより球の払出しを行なう場合は、モータの回転速度は上記回転速度の上限を超えない範囲で設定する必要がある。所定個数を５以外にする場合も物体の落下速度から理論上の回転速度の上限を求める。
【００３０】
以上詳述した本実施形態によれば、遊技球が１列状態に充填されている球経路から、所定個数を超える球を持ち上げることなく、所定数の球の払出しを円滑且つ確実に行なうことが可能となる。
【００３１】
従って、モータに対する負荷を軽減し、消費電力を大幅に削減し、ひいては装置自体の寿命を大幅に延長することが可能となる。又、上ゲート部１ｃに対する衝撃が緩和されるため、該ゲート部に対する損傷の発生を防止でき、更に球の損傷の発生を防止することもできるため、球の寿命を延ばすことも可能となる。
【００３２】
図８は、本発明の他の実施形態に適用される上ゲート部１ｃの先端部近傍を示す平面図である。この上ゲート部１ｃは、先端部が略Ｕ字形状に切り欠いた形状になっているため、先端が矩形の場合に比べ、切り欠いた分だけ球の表面に接触するまでの寸法余裕、時間的余裕が出るため、更に円滑且つ確実に球払出しを実現できる。
【００３３】
なお、本発明が適用できる遊技機はパチンコに限定されるものでなく、多数の球を使う遊技機であれば任意である。
【産業上の利用可能性】
【００３４】
以上説明したとおり、本発明によれば、遊技球が１列状態に充填されている球経路から、所定個数を超える球を持ち上げることなく所定個数の球の払出しを円滑且つ確実に行なうことができるようになり、アクチュエータに対する負荷を軽減し、消費電力を大幅に削減し、ひいては装置自体の寿命や球の寿命を大幅に延長することができる。
【図面の簡単な説明】
【００３５】
【図１】本発明に係る実施形態の球払出し装置の特徴を示す斜視図
【図２】球払出し動作を説明するための第１の正面図
【図３】球払出し動作を説明するための第２の正面図
【図４】球払出し動作を説明するための第３の正面図
【図５】球払出し動作を説明するための第４の正面図
【図６】実施形態の作用を説明するために球払出し動作をまとめた要部正面図
【図７】球経路の傾斜角θを示す線図
【図８】本発明の変形例を示す部分平面図
【図９】一般的なパチンコ台を示す背面図
【図１０】従来の球払出し装置の例を示す正面図
【符号の説明】
【００３６】
１…ゲート
１ｂ…下ゲート部
１ｃ…上ゲート部
２…カム
３…球経路
３ｂ…排出部
４…支軸
５…圧縮ばね
６…回転軸
７…センサドグ
８…位置センサ
１０…ベース部
【図１】
2005245751.tif 000003
【図２】
2005245751.tif 000004
【図３】
2005245751.tif 000005
【図４】
2005245751.tif 000006
【図５】
2005245751.tif 000007
【図６】
2005245751.tif 000008
【図７】
2005245751.tif 000009
【図８】
2005245751.tif 000010
【図９】
2005245751.tif 000011
【図１０】
2005245751.tif 000012